(57)【要約】【課題】バッグ本体内の薬剤と小容器内に収納された薬剤とをスムーズに混合させることができる輸液バッグを提供する。【解決手段】薬剤ａを収納する可撓性のバッグ本体４と、バッグ本体４内の薬剤を排出するようバッグ本体４の下端に設けられた薬剤排出部６と、バッグ本体４を吊り下げるようバッグ本体４の上端に設けられた吊掛穴７と、バッグ本体４内に収納され、薬剤ｂが収納された小容器５と、を備え、小容器５は、上端及び下端に外力により破断可能な易剥離シール部１０ａ，１０ｂがそれぞれ形成されており、各易剥離シール部１０ａ，１０ｂ近傍においてバッグ本体４の内壁面に固着されている。【選択図】図１
2008212552.tif 000002
【特許請求の範囲】
【請求項１】
薬剤を収納する可撓性のバッグ本体と、
前記バッグ本体内の薬剤を排出するよう前記バッグ本体の一方端に設けられた薬剤排出部と、
前記バッグ本体を吊り下げるよう前記バッグ本体の他方端に設けられた吊掛部と、
前記バッグ本体内に収納され、薬剤が収納された小容器と、を備え、
前記小容器は、前記薬剤排出部側の端部及び前記吊掛部側の端部に外力により破断可能な領域がそれぞれ形成されており、前記各破断可能な領域近傍において前記バッグ本体の内壁面に固着されている、輸液バッグ。
【請求項２】
前記小容器は、シート材によって構成されており、
前記各破断可能な領域は、前記シート材同士を熱融着によって封止することにより形成されている、請求項１に記載の輸液バッグ。
【請求項３】
前記小容器は、シート材によって構成され、前記シート材は前記バッグ本体の対向する各内壁面に固着されている、請求項１又は２に記載の輸液バッグ。
【請求項４】
前記バッグ本体は、複数の収納室と、前記各収納室を仕切るとともに外力により開封可能に構成された仕切り用封止部と、を有し、
前記小容器は、前記収納室の少なくとも一つに収納されている、請求項１〜３のいずれかに記載の輸液バッグ。
【請求項５】
前記収納室は、前記薬剤排出部側から前記吊掛部側に並ぶよう、前記仕切り用封止部に仕切られており、
前記仕切り用封止部は、前記バッグ本体の内壁面同士を熱融着によって封止することにより形成されている、請求項４に記載の輸液バッグ。
【請求項６】
前記小容器は、その容量が前記バッグ本体の容量の１０〜７０％である、請求項１〜５に記載の輸液バッグ。
【発明の詳細な説明】
【技術分野】
【０００１】
本発明は、バッグ本体内に小容器を収納した輸液バッグに関するものである。
【背景技術】
【０００２】
消化器手術等の術後の患者は、経口摂取ができない場合が多いため、患者の栄養管理は、一般に中心静脈投与用の高カロリー輸液（ＩＶＨ）により行われている。ＩＶＨでは、通常、栄養源である糖質、アミノ酸、及び電解質が投与されるが、例えばブドウ糖とアミノ酸とを同一の容器に収納して保存すると、いわゆるメイラード反応によって混合液が褐変するため、これらは別々に収納しておく必要がある。そのため、これらの薬剤を個別に収納する輸液バッグが近年普及している。
【０００３】
例えば、特許文献１に記載の輸液バッグでは、可撓性の外方容器内に、薬剤が収納された可撓性の破裂可能容器を収納している。これによって、外方容器内に直接収納された薬剤と、破裂可能容器内に収納された薬剤とがそれぞれ個別に収納されている。この破裂可能容器は、その縦方向に延びる合わせ目の部分において、破裂が起こりやすいように構成されている。そして、使用の際は、外方容器を押圧等することで破裂可能容器にその衝撃を伝達させ、破裂可能容器の縦方向に延びる合わせ目の部分を破裂させて、破裂可能容器内の薬剤と外方容器内の薬剤とを混合させる。
【特許文献１】特開昭４８−７３２９６号公報
【発明の開示】
【発明が解決しようとする課題】
【０００４】
しかしながら、上述した輸液バッグでは、破裂可能容器は、その破裂する箇所は一部だけであるので破裂可能容器内に流入する薬剤の流入部と破裂可能容器内から流出する薬剤の流出部とが同一となる。このため、破裂可能容器内の薬剤が外方容器内へ流出しにくく、外方容器内の薬剤も破裂可能容器内へと流入しにくいといった問題があり、破裂可能容器内の薬剤と外方容器内の薬剤とをスムーズに混合させることができなかった。さらには、破裂可能容器は、外方容器内を自由に動くことができるため、押圧して破裂した後に半分に折れ曲がる等といったように変形してしまう可能性がある。このように破裂可能容器が半分に折れ曲がってしまうと、その屈曲部で破裂可能容器内を密封してしまい、破裂可能容器内の薬剤を外方容器内へ流出させることは非常に困難となり、破裂可能容器内の薬剤と外方容器内の薬剤とをスムーズに混合させることができなくなってしまう。
【０００５】
そこで、本発明は、バッグ本体内の薬剤と小容器内に収納された薬剤とをスムーズに混合させることができる輸液バッグを提供することを課題とする。
【課題を解決するための手段】
【０００６】
本発明に係る輸液バッグは、上記課題を解決するためになされたものであり、薬剤を収納する可撓性のバッグ本体と、前記バッグ本体内の薬剤を排出するよう前記バッグ本体の一方端に設けられた薬剤排出部と、前記バッグ本体を吊り下げるよう前記バッグ本体の他方端に設けられた吊掛部と、前記バッグ本体内に収納され、薬剤が収納された小容器と、を備え、前記小容器は、前記薬剤排出部側の端部及び前記吊掛部側の端部に外力により破断可能な領域がそれぞれ形成されており、前記各破断可能な領域近傍において前記バッグ本体の内壁面に固着されている。
【０００７】
このように、小容器は、薬剤排出部側の端部近傍及び吊掛部側の端部近傍においてバッグ本体の内壁面に固着されているため、バッグ本体内で折れ曲がるなどの変形が防止されて、小容器内の薬剤をバッグ本体内へ容易に排出することができ、バッグ本体内の薬剤と小容器内の薬剤とをスムーズに混合させることが可能となる。また、小容器は、薬剤排出部側の端部と吊掛部側の端部とに外力によって破断可能な領域がそれぞれ形成されている。このため、例えば、バッグ本体を介して小容器を押圧して小容器の内圧を上昇させることで、小容器は薬剤排出部側端部と吊掛部側端部との２箇所が破断して開封部が形成され、その２箇所の開封部を結ぶ流路は直線となる。この結果、小容器内を流れる薬剤の流れがスムーズになるため、小容器内へ薬剤を容易に流入させることができるとともに小容器内から薬剤を容易に流出することができ、両薬剤をスムーズに混合させることが可能となる。特に、輸液バッグをフックなどに吊り下げた際は、小容器の上端と下端に開封部が配置されるため、薬剤を小容器の上端の開封部から流入させて下端の開封部から流出させることができ、小容器内の薬剤をバッグ本体内へスムーズに排出することができる。
【０００８】
上記輸液バッグは種々の構成をとることができ、例えば、上記小容器を、フィルムなどのシート材によって構成し、このシート材同士を熱融着によって封止して、各破断可能な領域を形成することができる。
【０００９】
また、小容器をシート材によって構成し、このシートをバッグ本体の対向する各内壁面に固着することができる。このように構成することで、以下の効果を得ることができる。すなわち、バッグ本体を押圧してバッグ本体内の内圧を上げると、バッグ本体の各内壁面が互いに離間する方向に移動する。小容器を構成するシートはバッグ本体の各内壁面に固着されているため、バッグ本体の各内壁面の移動に伴い小容器を構成するシートも互いに離間する方向に移動する。このシートの移動により小容器の破断可能な領域に張力が掛かることで破断可能な領域を破断させることができるので、小容器に直接圧力をかけずに開封することが可能となる。
【００１０】
また、上記バッグ本体は、複数の収納室と、各収納室を仕切るとともに外力により開封可能に構成された仕切り用封止部とを有していてもよく、小容器は、収納室の少なくとも一つに収納することができる。なお、上記収納室は、薬剤排出部側から吊掛部側に並ぶよう、仕切り用封止部に仕切られており、仕切り用封止部は、バッグ本体の内壁面同士を熱融着によって封止することにより形成されていることが好ましい。このように構成することで、３種類以上の薬剤を使用するまで混合させずに収納しておくことができる。
【００１１】
また、上記小容器は、上述したような効果を顕著に得るためには、その容量をバッグ本体の容量の１０〜７０％とすることが好ましい。
【発明の効果】
【００１２】
本発明によれば、バッグ本体内の薬剤と小容器内に収納された薬剤とをスムーズに混合させることができる輸液バッグを提供することができる。
【発明を実施するための最良の形態】
【００１３】
以下、本発明に係る輸液バッグの実施形態を添付図面に従って説明する。図１は、本実施形態に係る輸液バッグの正面図、図２は図１のＡ−Ａ線断面図である。なお、以下の説明では、図１の上下を「垂直方向」、左右を「水平方向」と称し、これを基準に説明をしていく。
【００１４】
図１及び図２に示すように、輸液バッグ１は、２枚のフィルム２ａ，２ｂの周縁３を熱融着して矩形状に形成されたバッグ本体４を備えており、このバッグ本体４内には、薬剤ａが封入されるとともに、後述するように薬剤ｂが封入された小容器５が収納されている。そして、バッグ本体４の下端（一方端）には、内部にゴム栓を有する薬剤排出部６が接続されており、バッグ本体４の上端（他方端）には、バッグ本体４をフックなどに吊り下げるための吊掛穴（吊掛部）７が周縁３の部分に形成されている。
【００１５】
バッグ本体４は、上述したように２枚のフィルム２ａ，２ｂによって構成されており、このフィルム２ａ，２ｂの材質としては、ポリエチレン、ポリプロピレン、ポリスチレン等の熱可塑性樹脂等、種々の樹脂材料を採用することができる。また、単層のフィルムに限られず、多層構造のフィルムを使用することもでき、例えば、内層及び外層がポリエチレン、ポリプロピレン等のポリオレフィンで、中間層が環状オレフィンコポリマーである３層構造のフィルムを使用することができる。
【００１６】
小容器５は、２枚の矩形状のフィルム８ａ，８ｂから構成されており、この２枚のフィルム８ａ，８ｂの周縁９が融着されることによって袋状に形成されている。この周縁９のうち、対向する一対の頂点近傍における各部分は、回りの周縁９よりも弱い強度、すなわち、外力が作用することで容易に剥離する程度の強度で融着されることで、第１の易剥離シール部１０ａ及び第２の易剥離シール部１０ｂ（破断可能な領域）として形成されている。このように構成された小容器５は、第１の易剥離シール部１０ａが上端、第２の易剥離シール部１０ｂが下端となり、第１及び第２の易剥離シール部１０ａ，１０ｂを結んだ小容器５の対角線が垂直方向に延びるようにバッグ本体４内に配置されている。そして、この小容器５は、第１及び第２の易剥離シール部１０ａ，１０ｂの近傍において、バッグ本体４の内壁面に固着されている。より詳細には、小容器５は、フィルム８ａの外面が第１の易剥離シール部１０ａの近傍でバッグ本体４のフィルム２ａの内面に固着されるとともに、第２の易剥離シール部１０ｂの近傍でもバッグ本体４のフィルム２ａの内面に固着されている。同様に、フィルム８ｂの外面も第１及び第２の易剥離シール部１０ａ及び１０ｂの近傍でバッグ本体４のフィルム２ｂ内面に固着されている。なお、小容器５を構成するフィルム８ａ，８ｂの材質としては、バッグ本体４のフィルム２ａ，２ｂと同様のものを使用することができる。また、バッグ本体４と小容器５との固着部から易剥離シール部１０までの距離ｙは、０〜３０ｍｍとすることが好ましい。
【００１７】
そして、小容器５内には、上記バッグ本体４内に収納された薬剤ａと予め混合あるいは溶解しておくとメイラード反応等の経時変化を起こすため隔離する必要がある各種薬剤ｂが封入されており、例えば、バッグ本体４内にアミノ酸を含有する溶液を収納し、小容器５内に還元糖を含有する溶液を収納することができる。また、必要に応じていずれか一方に電解質等を封入することもできる。なお、液剤だけでなく、いずれか一方に固形薬剤を収納することもできる。なお、小容器５の容量は、バッグ本体４の容量の約１０〜７０％とすることが好ましい。
【００１８】
次に、上記のように構成された輸液バッグ１の使用方法について図３を参照しつつ説明する。図３は、本実施形態に係る輸液バッグ１の使用方法を説明する説明図である。
【００１９】
図３に示すように、輸液バッグ１内の薬剤を患者に投与するには、まず、バッグ本体４を手で押さえる等して押圧し、バッグ本体４内の圧力を高める。これにより、バッグ本体４を構成する各フィルム２ａ，２ｂの押圧した部分以外が互いに離間する方向に移動する。このフィルム２ａ，２ｂの移動に伴い、これらに固着された第１及び第２の易剥離シール部１０ａ，１０ｂ近傍における小容器５のフィルム８ａ，８ｂも互いに離間する方向に移動する。その結果、第１及び第２の易剥離シール部１０ａ，１０ｂの２箇所において、フィルム８ａとフィルム８ｂとが剥離し、小容器５の内部とバッグ本体４の内部とが連通する。そして、バッグ本体４内の薬剤ａが、例えば、剥離した第１の易剥離シール部１０ａから小容器５内に流入し、小容器５内の薬剤ｂが第２の易剥離シール部１０ｂからバッグ本体４内へ流出し、バッグ本体４内の薬剤ａと小容器５内の薬剤ｂとを十分に混合させることができる。このように第１及び第２の易剥離シール部１０ａ，１０ｂを開封した輸液バッグ１は、吊掛穴７を介してフック（図示省略）などに吊り下げられる。続いて薬剤排出部６のゴム栓に導管（図示省略）が接続された刺栓針（図示省略）を刺入すると、混合された薬液が導管を介して患者に投与される。
【００２０】
以上のように、上記実施形態によれば、小容器５は、第１及び第２の易剥離シール部１０ａ，１０ｂ近傍、つまり、上端・下端においてバッグ本体４に固着されているため、バッグ本体４内で半分に折れ曲がったり変形することがない。このため、小容器５内の薬剤をバッグ本体４内にスムーズに排出することができる。
【００２１】
また、小容器５が第１の易剥離シール部１０ａと第２の易剥離シール部１０ｂとの２箇所において開封される。このため、第１の易剥離シール部１０ａから小容器５内へバッグ本体４内の薬剤を流入させ、第２の易剥離シール部１０ｂから小容器５内の薬剤をバッグ本体４内へ流出させることができる。または、この逆の流れで、小容器５内へバッグ本体４内の薬剤を流入させるとともに小容器５内からバッグ本体４内へ薬剤を排出することができる。この結果、バッグ本体４内の薬剤ａと小容器５内の薬剤ｂとをスムーズに混合させることが可能となる。
【００２２】
また、輸液バッグ１をフックなどに吊り下げた際は、小容器５は、第１の易剥離シール部１０ａが上端となり、第２の易剥離シール部１０ｂが下端となる。このため、バッグ本体４内の薬剤が第１の易剥離シール部１０ａから小容器５内へ流入し、小容器５内の薬剤が第２の易剥離シール部１０ｂからバッグ本体４内へ流出し、小容器５内を流れる薬剤の流れをスムーズにし、より十分に薬剤を混合することができる。
【００２３】
また、輸液バッグ１をフックに吊り下げた際、小容器５は、第２の易剥離シール部１０ｂが下端となるようにバッグ本体４内に配置されているため、小容器５内の薬剤が周縁９を伝って第２の易剥離シール部１０ｂへ集まるように流れてくるので、小容器５内に薬剤が残りにくくなる。
【００２４】
以上、本発明の実施形態について説明したが、本発明はこれらに限定されるものではなく、本発明の趣旨を逸脱しない限りにおいて種々の変更が可能である。例えば、上記実施形態では、破断可能な領域は、易剥離シール部１０ａ，１０ｂによって構成されているが、特にこれに限定されるものではなく、小容器５に外力が作用することで容易に破断するように構成されていればよい。例えば、周縁９の各頂点近傍における部分の幅を狭くして剥離しやすくしたり、切込み部を形成して破断しやすいように構成することもできる。
【００２５】
また、上記実施形態では、バッグ本体４に吊掛穴７を形成しているが、バッグ本体４に吊掛穴７を形成するのではなく、吊掛穴やフック等を有する別体の部材をバッグ本体４に取り付けることもできる。
【００２６】
また、例えば、図４に示すように、バッグ本体４を２つの収納室１１，１２に仕切ることができる。すなわち、このバッグ本体４は、吊掛穴７側から薬剤排出部６側へ垂直方向に並べて配置された第１収納室１１及び第２収納室１２を有しており、これら２つの収納室１１，１２を仕切り用封止部１３で仕切るように構成することもできる。このとき、小容器５はどちらの収納室１１，１２に収納してもよいが、図４に示す輸液バッグ１では、第１収納室１１に小容器５が収納されている。仕切り用封止部１３は、バッグ本体４の２枚のフィルムを熱融着したものが好ましく、バッグ本体４の水平方向に延びている。この仕切り用封止部１３は、常時は２つの収納室１１，１２を隔離し、使用に際して第１収納室１１又は第２収納室１２を押圧して内圧を高めることにより開封する程度の強度で融着されている。なお、バッグ本体４は、２つの収納室だけでなく、仕切り用封止部の数を増やすことで、３つ以上の収納室に仕切ることもできる。このように構成することで、３種類以上の薬剤を使用前まで混合させずに輸液バッグ１内に収納しておくことができる。
【図面の簡単な説明】
【００２７】
【図１】本発明に係る輸液バッグの実施形態を示す正面図である。
【図２】図１のＡ−Ａ線断面図である。
【図３】本実施形態に係る輸液バッグの使用方法を示す説明図である。
【図４】本発明に係る輸液バッグの他の実施形態を示す正面図である。
【符号の説明】
【００２８】
１  輸液バッグ
４  バッグ本体
５  小容器
６  薬剤排出部
７  吊掛部
１０  易剥離シール部（破断可能な領域）
１１，１２  収納室
１３  仕切り用封止部
【図１】
2008212552.tif 000003
【図２】
2008212552.tif 000004
【図３】
2008212552.tif 000005
【図４】
2008212552.tif 000006